(57)【要約】【課題】待機モードにおける待機電力を抑制し且つ、ユーザが装置を利用するときには待機状態から高速に起動することを可能にした待機電力制御装置およびその装置を備えたデジタルテレビジョン放送受信装置を提供する。【解決手段】リモコン操作により装置の電源をオフした状態で待機電力の供給が開始され（Ｓ１）、装置が設置されている周囲の明るさに基づく起動高速化（Ｓ４）、電子番組情報を利用した放送の多少による起動高速化（Ｓ６）、利用頻度による起動高速化（Ｓ８）がそれぞれ設定されていた場合、それらの条件（Ｓ５，Ｓ７，Ｓ９、Ｓ１０）のいずれかが「否定」になった場合に待機電力の供給が停止され（Ｓ１３）、前記各条件が全て「肯定」になるとステップＳ１４からＳ１に進み、ユーザが装置を利用する直前に高速起動のための待機電力が再び供給される。【選択図】図３
2008131360.tif 000002
【特許請求の範囲】
【請求項１】
立ち上がりに時間を要する低速起動部に電源オフ後も待機電力を供給して電源オン時の起動を高速化するための待機電力制御手段を備えた待機モード付き装置であって、
待機電力を供給する待機電力供給条件又は待機電力を停止する待機電力停止条件を設定する条件設定手段を有し、
前記待機電力制御手段は、前記条件設定手段により設定された前記待機電力停止条件が成立している期間が終了するタイミング又は前記条件設定手段により設定された前記待機電力供給条件が成立するタイミングが到来するよりも所定時間早く待機電力の供給を開始することを特徴とする待機モード付き装置。
【請求項２】
前記所定時間は、前記低速起動部に待機電力が供給され当該装置が高速起動可能状態となるのに要する時間であることを特徴とする請求項１に記載の待機モード付き装置。
【請求項３】
時間帯および／または曜日毎の当該装置の利用頻度を記憶しておく利用頻度記憶手段を備え、該利用頻度記憶手段が記憶している利用頻度情報を前記待機電力供給条件又は前記待機電力停止条件として利用することを特徴とする請求項２に記載の待機モード付き装置。
【請求項４】
当該装置が設置される室内の明るさを検出する明るさセンサを備え、前記待機電力制御手段は、前記利用頻度情報による前記待機電力供給条件の他に、前記明るさセンサが所定レベル以上の明るさを検出していることを条件として待機電力の供給を行うことを特徴とする請求項３に記載の待機モード付き装置。
【請求項５】
前記待機電力供給停止条件による待機電力の供給停止は、ユーザが最後に当該装置を操作してから一定時間が経過した場合に実行されることを特徴とする請求項１から４のいずれかに記載の待機モード付き装置。
【請求項６】
立ち上がりに時間を要する低速起動部に電源オフ後も待機電力を供給することにより電源オン時の起動を高速化する待機モード用の待機電力制御手段を備えたデジタルテレビジョン装置であって、
待機電力を供給する待機電力供給条件又は待機電力を停止する待機電力停止条件を設定する条件設定手段を有し、
前記待機電力制御手段は、前記条件設定手段により設定された前記待機電力停止条件が成立している期間が終了するタイミング又は前記待機電力供給条件が成立するタイミングが到来するよりも所定時間早く待機電力の供給を開始することを特徴とするデジタルテレビジョン装置。
【請求項７】
前記所定時間は、前記低速起動部に待機電力が供給され当該テレビジョン装置が高速起動可能状態となるのに要する時間であることを特徴とする請求項６に記載のデジタルテレビジョン装置。
【請求項８】
当該テレビジョン装置が受信する電子番組情報から時間帯毎の放送数を取得する放送数取得手段を備え、該放送数取得手段で取得した放送数情報を前記待機電力供給条件又は前記待機電力停止条件として利用することを特徴とする請求項７に記載のデジタルテレビジョン装置。
【請求項９】
時間帯および／または曜日毎の当該テレビジョン装置の利用頻度を記憶しておく利用頻度記憶手段を備え、該利用頻度記憶手段が記憶している利用頻度情報を前記待機電力供給条件又は前記待機電力停止条件として利用することを特徴とする請求項７又は８に記載のデジタルテレビジョン装置。
【請求項１０】
当該テレビジョン装置が設置される室内の明るさを検出する明るさセンサを備え、前記待機電力制御手段は、前記放送数情報および前記利用頻度情報による前記待機電力供給条件の他に、前記明るさセンサが所定レベル以上の明るさを検出していることを条件として待機電力の供給を行うことを特徴とする請求項９に記載のデジタルテレビジョン装置。
【請求項１１】
前記待機電力制御手段は、待機電力を停止する上記各条件のいずれか一つが成立した場合に待機電力を停止することを特徴とする請求項７から１０のいずれかに記載のデジタルテレビジョン装置。
【請求項１２】
当該テレビジョン装置を利用する予定の日時を設定する日時設定手段を備え、該日時設定手段により設定した日時情報を前記待機電力供給条件として利用し、前記待機電力制御手段は他の待機電力停止条件に関係なく前記日時設定手段により設定した日時に基づいて待機電力を供給することを特徴とする請求項７から１１のいずれかに記載のデジタルテレビジョン装置。
【請求項１３】
前記供給停止条件による待機電力の供給停止は、ユーザが最後に当該テレビジョン装置を操作してから一定時間が経過した場合に実行されることを特徴とする請求項６から１１のいずれかに記載のデジタルテレビジョン装置。
【発明の詳細な説明】
【技術分野】
【０００１】
本発明は、待機モードを有する装置および待機モードを有するデジタルテレビジョン装置における待機電力を抑制するための待機電力制御技術に関する。
【背景技術】
【０００２】
デジタルテレビジョン装置などのＡＶ機器では、データ処理量の増加により電源オン時の起動速度が遅い問題を抱えている。この対策として、電源通電モードとして装置がすぐに利用可能な状態となるように立ち上がりに時間を要する低速起動部に常時通電をしておく、いわゆるスタンバイモード（待機モード）を設けるようにしているが、継続的な未使用状態でも常に待機電力を供給することにより消費電力が上昇する問題がある。情報処理装置の分野においては、待機電力を低減するようにしたものとして、例えば特許文献１のように、装置を使用しない日や曜日、時間帯では待機モードでの消費電力を低減するようにしたものがある。また、デジタルテレビジョン装置などのＡＶ機器の分野においては、特許文献２のように、使用時間帯はユーザのライフスタイルによって規則性があることに着目して装置の利用状況についてのデータを所定の期間分学習して記憶手段に蓄えておき、そのデータに基づいてオール電源オフモードとスタンバイモード（待機モード）を制御するようにしたものがある。
【特許文献１】特開平８−２２３７９５号公報
【特許文献２】特開平７−２１２６７８号公報
【発明の開示】
【発明が解決しようとする課題】
【０００３】
上記の従来技術は、いずれも装置を使用する可能性の低い時間帯、曜日には待機用の電力をできるだけ供給しないようにして無駄な電力消費を低減するものである。しかし上記従来技術は、待機電力の供給を開始してから低速起動部が利用可能になるまでに必要な時間が考慮されておらず、オール電源オフモードから待機モードに移行した直後にユーザが電源オンした場合などは高速起動しないことがあるという問題がある。
本発明は、このような点に鑑みてなされたもので、待機モードにおける待機電力を必要最小限に抑え、かつ、ユーザが装置を利用する際には高速起動が可能な状態となるようにして環境に優しく使い勝手の良い待機モード付き装置およびデジタルテレビジョン装置を提供することを目的としている。
【課題を解決するための手段】
【０００４】
上記課題を解決するために本発明は次の技術手段を備えていることを特徴とする。
第１の技術手段は、立ち上がりに時間を要する低速起動部に電源オフ後も待機電力を供給して電源オン時の起動を高速化するための待機電力制御手段を備えた待機モード付き装置であって、待機電力を供給する待機電力供給条件又は待機電力を停止する待機電力停止条件を設定する条件設定手段を有し、前記待機電力制御手段は、前記条件設定手段により設定された前記待機電力停止条件が成立している期間が終了するタイミング又は前記条件設定手段により設定された前記待機電力供給条件が成立するタイミングが到来するよりも所定時間早く待機電力の供給を開始することを特徴とする。
【０００５】
第２の技術手段は、第１の技術手段において、前記所定時間は、前記低速起動部に待機電力が供給され当該装置が高速起動可能状態となるのに要する時間であることを特徴とする。
【０００６】
第３の技術手段は、第２の技術手段において、時間帯および／または曜日毎の当該装置の利用頻度を記憶しておく利用頻度記憶手段を備え、該利用頻度記憶手段が記憶している利用頻度情報を前記待機電力供給条件又は前記待機電力停止条件として利用することを特徴とする。
【０００７】
第４の技術手段は、第３の技術手段において、当該装置が設置される室内の明るさを検出する明るさセンサを備え、前記待機電力制御手段は、前記利用頻度情報による前記待機電力供給条件の他に、前記明るさセンサが所定レベル以上の明るさを検出していることを条件として待機電力の供給を行うことを特徴とする。
【０００８】
第５の技術手段は、第１から４のいずれかの技術手段において、前記待機電力供給停止条件による待機電力の供給停止は、ユーザが最後に当該装置を操作してから一定時間が経過した場合に実行されることを特徴とする。
【０００９】
第６の技術手段は、立ち上がりに時間を要する低速起動部に電源オフ後も待機電力を供給することにより電源オン時の起動を高速化する待機モード用の待機電力制御手段を備えたデジタルテレビジョン装置であって、待機電力を供給する待機電力供給条件又は待機電力を停止する待機電力停止条件を設定する条件設定手段を有し、前記待機電力制御手段は、前記条件設定手段により設定された前記待機電力停止条件が成立している期間が終了するタイミング又は前記待機電力供給条件が成立するタイミングが到来するよりも所定時間早く待機電力の供給を開始することを特徴とする。
【００１０】
第７の技術手段は、第６の技術手段において、前記所定時間は、前記低速起動部に待機電力が供給され当該テレビジョン装置が高速起動可能状態となるのに要する時間であることを特徴とする。
【００１１】
第８の技術手段は、第７の技術手段において、当該テレビジョン装置が受信するＥＰＧ情報から時間帯毎の放送数を取得する放送数取得手段を備え、該放送数取得手段で取得した放送数情報を前記待機電力供給条件又は前記待機電力停止条件として利用することを特徴とする。
【００１２】
第９の技術手段は、第７又は８の技術手段において、時間帯および／または曜日毎の当該テレビジョン装置の利用頻度を記憶しておく利用頻度記憶手段を備え、該利用頻度記憶手段が記憶している利用頻度情報を前記待機電力供給条件又は前記待機電力停止条件として利用することを特徴とする。
【００１３】
第１０の技術手段は、第９の技術手段において、当該テレビジョン装置が設置される室内の明るさを検出する明るさセンサを備え、前記待機電力制御手段は、前記放送数情報および前記利用頻度情報による前記待機電力供給条件の他に、前記明るさセンサが所定レベル以上の明るさを検出していることを条件として待機電力の供給を行うことを特徴とする。
【００１４】
第１１の技術手段は、第７から１０のいずれかの技術手段において、前記待機電力制御手段は、待機電力を停止する上記各条件のいずれか一つが成立した場合に待機電力を停止することを特徴とする。
【００１５】
第１２の技術手段は、第７から１１のいずれかの技術手段において、当該テレビジョン装置を利用する予定の日時を設定する日時設定手段を備え、該日時設定手段により設定した日時情報を前記待機電力供給条件として利用し、前記待機電力制御手段は他の待機電力停止条件に関係なく前記日時設定手段により設定した日時に基づいて待機電力を供給することを特徴とする。
【００１６】
第１３の技術手段は、第６から１１のいずれかの技術手段において、前記供給停止条件による待機電力の供給停止は、ユーザが最後に当該テレビジョン装置を操作してから一定時間が経過した場合に実行されることを特徴とする。
【発明の効果】
【００１７】
本発明によれば、継続的な未使用状態での無駄な待機電力の消費を最小限に抑え、かつ、電源オン時の高速起動が可能な待機モードを備えた装置を提供することができる。
また、本発明によれば、デジタルチューナー部、ＥＰＧデコード部、予約データ処理部、ＣＰＵなど立ち上がりに時間を要する低速起動部に、ユーザがテレビジョンを観賞する予定時刻又は時間帯が到来する少し前に待機電力が供給されるので、必要最小限の待機電力で装置の利用時に高速起動が可能なデジタルテレビジョン装置を提供することができる。
【発明を実施するための最良の形態】
【００１８】
以下、図面を参照して本発明の実施形態の一例を詳細に説明する。
図１は、待機電力制御手段を備えたデジタルテレビジョン装置（以下、テレビジョン装置とも記す。）の実施形態を示すブロック図である。テレビジョン装置１００は、デジタル放送とアナログ放送とのいずれも受信可能な装置であって、アナログ放送を受信する受信アンテナ１０１と、デジタル放送を受信する受信アンテナ１０２とを備える。
【００１９】
また、アナログ放送の受信信号をチューニングする（選局する）アナログチューナー部１０３と、デジタル放送の受信信号をチューニングするデジタルチューナー部１０４と、アナログ放送の受信データからオーディオデータ／ビデオデータを抽出するＡＶ分離部１０５と、チューニングされたデジタル放送のデータを復調するデジタル復調部１０６とを備える。
【００２０】
また、ＥＰＧデータの抽出や、復調されたデータの分離を行う分離部１０７と、分離されたデジタル放送のビデオデータをデコードしたりビデオ情報を静止画としてキャプチャするビデオデコード／キャプチャ部１０８と、アナログ放送のビデオ信号とデジタル放送のビデオ信号との切換を行うビデオセレクタ部１０９と、分離されたＥＰＧの処理や、ＯＳＤの表示処理を行うと共に、ＥＰＧと予約情報とをミックスさせて表示する処理を行うＥＰＧ／ＯＳＤ／予約データ処理部１１０とを備える。
【００２１】
また、分離されたオーディオデータをデコードするオーディオデコード部１１１と、セレクトされたビデオ信号とＥＰＧやＯＳＤとを合わせてからビデオ出力として変換するビデオ出力変換部１１２と、アナログ放送のオーディオ信号とデジタル放送のオーディオ信号の切換を行うオーディオセレクタ部１１３と、セレクトされたオーディオ信号を出力信号に変換するオーディオ出力変換部１１４と、アナログ放送およびデジタル放送のチューナーでの選局処理を行う選局部１１５とを備える。
【００２２】
また、任意のアドレスを指定して読み書きすることが可能な半導体メモリであり、抽出したＥＰＧデータ等を保存するＲＡＭ１１６と、全体の処理を担うと共に、通信制御部の処理およびリモコンからの操作信号の処理などを行うＣＰＵ１１７と、ビデオマウスを介して予約処理を実行するためのビデオマウスコネクタ１１８と、ビデオマウスで送信する信号の制御を行うビデオマウスマイコン１１９とを備える。
【００２３】
さらに、テレビジョン装置１００は、プログラムやユーザデータ、ＥＰＧの表示フォーマットデータ等が格納される書換え可能な不揮発性メモリ１２０と、電話回線、ＬＡＮ、インターネット等のネットワーク網との制御を行うと共に、ＥＰＧデータの取得等に使用される通信制御部１２１と、ユーザが操作するリモートコントローラからの信号を受信するリモコン受光部１２２とを備える。
【００２４】
上述した構成を備えるテレビジョン装置１００において、本発明の対象となる待機電力制御装置１０は待機電力を供給する機能を備えた電源部２０に対し、後述する低速起動部への待機電力の供給制御を行なう。電源部２０は、電源通電モードとして本体スイッチでメイン電源をオフにするオール電源オフモードとリモコン操作で電源オフにした場合の部分通電モード、すなわち、処理や立ち上がりに数分の時間を要する回路やデバイスに常時電力を供給する待機モードを有しており、待機モード時における前述の部分通電は、この後説明する本発明の待機電力制御装置により、各種の条件によって装置が継続的に使用されない状況では待機電力の供給を停止し、ユーザが装置を使用する時刻に先立って待機電力が供給される。
【００２５】
図２は、待機電力制御装置をデジタルテレビジョン装置に適用した例を示す機能ブロック図を示したものである。バスに接続される待機電力制御装置１０は、制御部１１、明るさセンサ１２、装置内時計１３、ユーザ設定メモリ１４、利用頻度メモリ１５等を備えており、上述したようにリモコン操作によって装置が電源オフされた場合に後述する待機電力の供給制御を開始する。
【００２６】
また、電源部２０は、立ち上がりに時間を要する部位である低速起動部３０（図１のデジタルチューナー部１０４やＥＰＧ／ＯＳＤ／予約データ処理部１１０装置、およびＣＰＵ１１７等）と表示部や音声出力部などの高速起動部４０に電源を供給する。
【００２７】
明るさセンサ１２はテレビジョン装置が設置されている周囲の明るさを検出するものであり、装置内時計１３はユーザが設定する各種の時間帯や利用頻度に関するデータを生成するのに利用される。
また、ユーザ設定メモリ１４はユーザが設定した条件を記憶しておくのに利用され、利用頻度メモリ１５はテレビジョン装置の利用頻度のデータを記憶しておくのに利用される。
【００２８】
制御部１１は内蔵されている待機電力制御プログラムを実行するマイコンを備えており、各設定に基づく待機電力の供給・停止制御や装置の利用頻度情報の取得を行う。すなわち、バスを介してＥＰＧデコード部から入力される電子番組情報、明るさセンサ１２から入力される明るさ検出情報、装置内時計１３から入力される時刻情報、ユーザ設定メモリ１４から入力されるユーザ設定情報、利用頻度メモリ１５から入力される利用頻度情報の各情報に基づいて待機電力の供給又は停止を行なう制御信号を電源部２０に出力する。なお、ユーザ設定メモリ１４には、装置の利用予定設定日時情報の他、上述した各情報に基づく起動高速化の設定情報も記憶される。
【００２９】
また、後述する待機電力の供給を停止する待機電力停止条件が成立している期間が終了するタイミング又は待機電力を供給する待機電力供給条件が成立するタイミングが到来するよりも所定時間早く待機電力の供給を開始するための設定は、制御部１１の内部メモリに記憶されている。
【００３０】
次に、上述したデジタルテレビジョン装置１００における待機電力制御装置１０に関する動作について、図３のフローチャートを参照しながら説明する。
リモコン操作によってテレビジョン装置１００が電源オフされると待機モードになり、低速起動部に待機電力の供給が開始される（Ｓ１）。
【００３１】
先ずステップＳ２において、ユーザが当該テレビジョン装置を利用する予定日時を設定している場合（Ｓ２／Ｙ）はステップＳ３に進み、設定日時が所定時間内に到来する場合（Ｓ３／Ｙ）はステップＳ１４に進む。予定日時が設定されていない場合（Ｓ２／Ｎ）または所定時間内には設定日時が到来しない場合（Ｓ３／Ｎ）はステップＳ４に進む。なお、ここでいう「設定日時」とは曜日と時刻による設定も含む。
【００３２】
ステップＳ４において、明るさに基づく起動高速化が設定されている場合（Ｓ４／Ｙ）はステップＳ５に進み、明るさセンサ１２により検出した明るさが所定レベル以下、すなわち装置が設置されている部屋が暗い場合（Ｓ５／Ｎ）はステップＳ１１に進む。明るさに基づく起動高速化が設定されていない場合（Ｓ４／Ｎ）またはステップＳ５において室内の照明が点灯されるなどして室内の明るさが所定レベル以上になった場合（Ｓ５／Ｙ）はステップＳ６に進む。
【００３３】
ステップＳ６において、放送の多少による起動高速化が設定されている場合（Ｓ６／Ｙ）はステップＳ７に進み、放送数が所定時間以内には所定数に達しない場合（Ｓ７／Ｎ）はステップＳ１１に進む。放送の多少による起動高速化が設定されていない場合（Ｓ４／Ｎ）またはステップＳ７において放送数が所定時間以内に所定数に達する場合（Ｓ７／Ｙ）はステップＳ８に進む。なお、放送数が所定時間以内に所定数に達するか否かの判断はＥＰＧ情報に基づいて行うことが可能である。
【００３４】
ステップＳ８において、利用頻度に基づく起動高速化が設定されている場合（Ｓ８／Ｙ）はステップＳ９に進み、利用頻度の高い曜日でない場合（Ｓ９／Ｎ）はステップＳ１１に進む。また、利用頻度の高い曜日の場合（Ｓ９／Ｙ）はステップＳ１０に進むが、利用頻度の高い時間帯が所定時間内には到来しない場合（Ｓ１０／Ｎ）はステップＳ１１に進む。利用頻度に基づく起動高速化が設定されていない場合（Ｓ８／Ｎ）またはステップＳ１０において利用頻度の高い時間帯が所定時間内に到来する場合（Ｓ１０／Ｙ）はステップＳ１４に進む。
【００３５】
ステップＳ１１では待機電力が供給中か否かを判定し、待機電力が供給中であればステップＳ１２に進み、待機電力が供給されていなければステップＳ２に進む。
ステップＳ１２では、ユーザが最後に装置を操作（チャンネルの切換えや電源のオン・オフなど）してから所定の時間が経過した否かを判定し、操作がない場合（Ｓ１２／Ｙ）はステップＳ１３に進んで待機電力の供給を停止する。また、所定時間が経過する前にユーザの操作があった場合（Ｓ１２／Ｎ）はステップＳ１４に進む。このステップＳ１２は、待機電力停止条件が成立する状況、すなわちステップＳ５、ステップＳ７、ステップＳ９およびステップＳ１０において否定となる状況でユーザが間違えて電源を切った後にすぐ電源を入れた場合に高速起動が行われるようにするためのものである。
ステップＳ１４では、待機電力が停止されている場合（Ｓ１４／Ｙ）はステップＳ１に進んで待機電力の供給が開始される。待機電力が停止されていない場合（Ｓ１４／Ｎ）、すなわち既に待機電力が供給されている場合はステップＳ２に進む。
【００３６】
上述した実施形態の場合、上述した待機電力供給条件又は待機電力停止条件についての各設定が行われている場合、待機電力の供給が開始されるタイミングとしては次のようになる。
・利用予定日時が到来する所定時間前（Ｓ３／Ｙ）
・室内の明るさが所定レベル以上（Ｓ５／Ｙ）、放送数が所定数以上（Ｓ７／Ｙ）および利用頻度が高い曜日（Ｓ９／Ｙ）であって、利用頻度の高い時間帯が到来する所定時間前（Ｓ１０／Ｙ）。
・室内の明るさが所定レベル以上（Ｓ５／Ｙ）、利用頻度が高い曜日（Ｓ９／Ｙ）および利用頻度の高い時間帯（Ｓ１０／Ｙ）であって、放送数が所定数以上（Ｓ７／Ｙ）に達する所定時間前。
・放送数が所定数以上（Ｓ７／Ｙ）、利用頻度が高い曜日（Ｓ９／Ｙ）および利用頻度の高い時間帯（Ｓ１０／Ｙ）であって、室内の明るさが所定レベル以上になったとき（Ｓ５／Ｙ）。
【００３７】
また、待機電力が停止されるタイミングは、室内の明るさが所定レベル以下になったとき（Ｓ５／Ｎ）、放送数が所定数以下になったとき（Ｓ７／Ｎ）、利用頻度の低い曜日になったとき（Ｓ９／Ｎ）、又は利用頻度の低い時間帯になったとき（Ｓ１０／Ｎ）のいずれかのケースで、かつ、所定時間ユーザ操作がない場合（ステップＳ１２／Ｙ）、ということになる。
【００３８】
なお、ステップＳ３、ステップＳ７、ステップＳ１０における“所定時間”は、通常のデジタルテレビジョン装置であれば３〜５分、ハードディスク内臓型のデジタルテレビジョン装置の場合は５〜１０分程に設定すれば十分である。
【００３９】
本実施形態のテレビジョン装置における上述した各設定について、その動作と特徴をまとめると以下のようになる。なお、待機電力の供給は停止されているものとする。
＜利用予定日時の設定＞
この設定の場合、その設定日時の時刻が到来する所定時間前のタイミングになると、他の設定に関係なく待機電力の供給が開始されることになる。したがって、この設定の場合、室内が暗くても、放送数の少ない深夜や利用頻度の低い時間帯でも視聴予定の番組が放映される時刻に電源スイッチをオンするとテレビジョン装置は高速に起動する。
待機電力の供給開始条件を決める機能のみを有している。
【００４０】
＜明るさによる設定＞
この設定の場合、ユーザが普通の時刻に帰宅してテレビジョン装置が設置してある室内の照明器具を点灯すると直ちに待機電力の供給が開始される。したがって、ホームウェアに着替えたりしている間にテレビジョン装置の高速起動が可能な状態になり、着替え終わって電源をオンにするとテレビジョン装置は高速に起動する。
この設定は、帰宅してテレビジョン装置のある部屋の照明を点けた場合はテレビ番組を視聴する可能性が高いという考えに基づくものである。
なお、この設定は、放送の多少あるいは利用頻度による設定が行われている場合は、テレビ放送が行われている数が少ない深夜の時間帯や利用頻度の低い時間帯に帰宅して室内の照明を点けた場合は待機電力の供給は開始されない。
またこの設定がなされていると、出張や旅行などで家を留守にする場合、夜の利用頻度の高い時間帯や放送数の多い時間帯であっても室内が暗いので待機電力が供給されることはない。
【００４１】
＜放送数による設定＞
この設定は、放送される数が少ない深夜の時間帯は待機電力の供給を停止し、例えば早朝５時頃から放送される数が増加して６時に放送数が設定の所定数に達するものとすると、その少し前に待機電力の供給が開始される。したがって、朝６時に視聴したいテレビ番組がある場合、朝６時に電源スイッチをオンするとテレビジョン装置は高速に起動することになり、所望の番組を直ぐに視聴することができる。
なお、この設定は利用頻度による設定と重複するところはあるが利用頻度による場合よりも高精度であり、時々朝６時から番組を視聴するような利用形態の場合、日時による設定をしなくても高速起動による利用が可能となる。また、土日など休日の場合は所定の放送数に達するのが７時であれば待機電力もそれに合わせて供給されることになるので、平日の朝は６時からの番組を、休日の朝は７時からの番組を視聴するような利用形態の場合に有効である。
さらに、この設定によれば深夜や早朝など通常の時間帯以外に放送されることが多いオリンピックやワールドサッカーなどを視聴した場合、システムはその時間帯が利用頻度の高い時間帯として認識してしまうが、大会が終了すれば放送数の少ない時間帯になるので利用頻度による設定において待機電力供給の条件が成立しても待機電力が供給されることはない。
【００４２】
＜利用頻度による設定＞
この設定は、他の設定が行われていないか、又は明るさによる設定と放送の多少による設定の判定がいずれも肯定の場合に有効になり、利用頻度の低い曜日又は時間帯では待機電力を停止し、利用頻度の高い時間帯が所定時間内に到来するタイミングになると待機電力の供給を開始するものである。
したがって、よく視聴するテレビ番組が放送されている時間帯は高速起動が可能な状態になっているのでテレビジョン装置の電源をオンにすると速やかに放送番組が表示されることになる。
また上述したように、他の設定による判定が肯定であっても、本設定における判定が肯定でなければ待機電力が供給されることはない。
【００４３】
以上説明したように、本発明は各設定条件に応じて上述したような待機電力の供給制御を行なうことにより無駄な待機電力の消費を抑制し且つユーザが装置を利用する可能性の高い時期が到来したときには装置を高速に起動させることが可能となり、装置を快適に利用することができる。
【図面の簡単な説明】
【００４４】
【図１】本発明の実施形態におけるデジタルテレビジョン装置のブロック図である。
【図２】待機電力制御装置をデジタルテレビジョン装置に適用した例を示す機能ブロック図である。
【図３】待機電力制御装置１０をデジタルテレビジョン装置に適用した場合の処理動作について説明するためのフローチャートである。
【符号の説明】
【００４５】
１０…待機電力制御装置、１１…制御部、１２…明るさセンサ、１３…装置内時計、１４…ユーザ設定メモリ、１５…利用頻度メモリ、２０…電源部、３０…低速起動部、４０…高速起動部、１００…デジタルテレビジョン放送受信装置、１０４…デジタルチューナー部、１０７…分離部、１１０…ＥＰＧ／ＯＳＤ／予約処理部、１１７…ＣＰＵ、１２２…リモコン受光部。
【図１】
2008131360.tif 000003
【図２】
2008131360.tif 000004
【図３】
2008131360.tif 000005